(57)【特許請求の範囲】
【請求項１】
車両のインストルメントパネル内に空調ユニットと送風ユニットとを車幅方向に並べて配設し、その送風ユニットからの空気を空調ユニットの下端の導入空間部に導入して、該空調ユニット内を下側から上側に流通させるとともに、該空調ユニット内に配設した冷却用熱交換器乃至その上方に配設した加熱用熱交換器により熱交換して、調和空気を生成するようにした車両用空調装置において、
前記冷却用熱交換器は、その下面を前記空調ユニットの導入空間部に臨ませ、かつ車幅方向に略水平に延びるように配置されているとともに、その下面が車体後側ほど上方に位置するように車両の前後方向に傾斜して配置されていて、さらに、チューブの延びる方向が車体前後方向に向けられており、
前記送風ユニットは、空調ユニットの車幅方向一側に配置され、
前記送風ユニットから空調ユニットの下端側に至る送風ダクトが、該送風ユニットから空調ユニットに向かって下向きに傾斜するように配設され、
前記空調ユニット乃至送風ダクトには、冷却用熱交換器の車幅方向一側の端部よりも車幅方向一側寄りの部位で空気の流れを上方に指向させる空気流指向部が設けられており、
前記冷却用熱交換器の下面に対向する空調ユニットの底壁部上面には、その前縁部に沿って排水溝部が形成されるとともに、この排水溝部及び前記冷却用熱交換器の前縁部付近を前記導入空間部から遮蔽するように、上方に向かって突出しかつ前記排水溝部に沿って車幅方向に延びる遮蔽リブが設けられていることを特徴とする車両用空調装置。
【発明の詳細な説明】
【０００１】
【発明の属する技術分野】
本発明は、加熱用及び冷却用熱交換器を空調ユニット内に上下に並べて設け、その空調ユニットの下側に左右（車幅方向）いずれか一側から空調用の空気を導入して、該空調ユニット内を上方に向かって流通させながら、前記熱交換器によって調和空気を生成するようにした車両用空調装置（以下、縦型一体式空調装置ともいう）に関する。
【０００２】
【従来の技術】
従来より、この種の車両用空調装置として例えば、特開平９−２２３７４８号公報や特開平１０−２４４８２０号公報に開示されるように、ヒータ及びクーラの機能を１つの空調ユニットに集約して、空調装置全体のコンパクト化を図ったものがある。このような従来の縦型一体式空調装置では、車両のインストルメントパネル内に配設した空調ユニットの内部に下方から順に、エバポレータ（冷却用熱交換器）、エアミックスダンパ、ヒータコア（加熱用熱交換器）を収容するとともに、その上方には調和空気の吹出し方向を切換える方向切換え部を備えている。
【０００３】
また、前記空調ユニットの助手席側にはブロワを内蔵した送風ユニットが配置されており、この送風ユニットから空調用の空気が空調ユニットの下端の導入空間部に導入され、そこから上方に向きを変えてエバポレータを通過し、エアミックスダンパによりヒータコアとそれを迂回するバイパス通路とに分流された後に、再び混合されて調和空気となり、しかる後に、方向切換え部から車室内へダクトを介して分配されるようになっている。
【０００４】
【発明が解決しようとする課題】
ところで、一般的に、前記のようにエバポレータやヒータコアを上下に配置した縦型一体式空調装置の空調ユニットは、その上下方向の寸法がかなり大きくなることから、車両のインストルメントパネル内において車幅方向の略中央部に配置される。
【０００５】
また、該空調ユニットに対して空気を送給する送風ユニットは、助手席前方に対応するように配置される。この際、助手席乗員の足下スペースを広く確保する必要があるので、通常、送風ユニットはできるだけ上方に位置付けられることになり、この結果、該送風ユニットから空調ユニットの下端側に空気を送る送風ダクトは、送風ユニットから空調ユニットに向かって下向きに傾斜するように設けられる。
【０００６】
しかしながら、そのような送風ダクトの傾斜配置によって、このダクトを流通する空気の流れが空調ユニット下側の導入空間部に対して斜め上方から流入することになり、特に空気の流量乃至流速、即ち風速乃至風量が大きいときには、その流れが空調ユニットの底壁部上面に衝突して大きく乱れ、送風効率が低下するとともに、そこから上方に曲げられてエバポレータに向かう空気の流れが空調ユニットの左右に大きく偏ったものになってしまい、熱交換効率も低下するという問題がある。
【０００７】
また、空調ユニットの底壁部上面は、通常、エバポレータから滴下する凝縮水の受け皿になっていて、この凝縮水が一時的に溜まっていることがあるから、前記のように送風ダクトから流入する空気が衝突すると、溜まっている凝縮水がエバポレータに跳ね上げられ、このことによっても熱交換効率が低下することがあり、さらに、凝縮水の跳ね上げによって空気流の乱れが助長されるという不具合もある。
【０００８】
本発明は斯かる諸点に鑑みてなされたものであり、その目的とするところは、車幅方向の一側に並設した送風ユニットから空調ユニット下側の導入空間部に空気を送給するようにした縦型一体式空調装置において、主に送風ダクト乃至空調ユニットにおける空気流の通路構成に工夫を凝らし、導入空間部における空気流の乱れを抑え、冷却用熱交換器を通過する空気流の偏りを軽減するとともに、凝縮水の跳ね上げに起因する不具合を未然に防止することにある。
【０００９】
【課題を解決するための手段】
前記目的を達成するために、本発明に係る車両用空調装置では、送風ダクトに沿って車幅方向の一側から空調ユニット下端の導入空間部に流入する空気流の方向を、冷却用熱交換器の下方よりも手前で上方に向かうように指向させるようにした。
【００１０】
具体的に、請求項１の発明では、車両のインストルメントパネル内に空調ユニットと送風ユニットとを車幅方向に並べて配設し、その送風ユニットからの空気を空調ユニットの下端の導入空間部に導入して、該空調ユニット内を下側から上側に流通させるとともに、該空調ユニット内に配設した冷却用熱交換器乃至その上方に配設した加熱用熱交換器により熱交換して、調和空気を生成するようにした車両用空調装置を前提とする。このものにおいて、前記冷却用熱交換器は、その下面を前記空調ユニットの導入空間部に臨ませ、かつ車幅方向に略水平に延びるように配置されているとともに、その下面が車体後側ほど上方に位置するように車両の前後方向に傾斜して配置されていて、さらに、チューブの延びる方向が車体前後方向に向けられている。また、前記送風ユニットは空調ユニットの車幅方向一側に配置されているものとし、さらに、前記送風ユニットから空調ユニットの下端側に至る送風ダクトが、該送風ユニットから空調ユニットに向かって下向きに傾斜するように配設されているものとする。そして、前記空調ユニット乃至送風ダクトに、冷却用熱交換器の車幅方向一側の端部よりも車幅方向一側寄りの部位で空気の流れを上方に指向させる空気流指向部を設けるとともに、前記冷却用熱交換器の下面に対向する空調ユニットの底壁部上面には、その前縁部に沿って排水溝部を形成するとともに、この排水溝部及び前記冷却用熱交換器の前縁部付近を前記導入空間部から遮蔽するように、上方に向かって突出しかつ前記排水溝部に沿って車幅方向に延びる遮蔽リブを設ける構成とする。
【００１１】
前記の構成により、送風ユニットから送り出されて、送風ダクト内を車幅方向の一側から他側に向かって斜め下向きに流れる空気の流れは、該送風ダクト乃至空調ユニットの空気流指向部において上方に指向され、空調ユニットの冷却用熱交換器よりも手前で大略、水平な流れとなって導入空間部に流入する。このため、その空気流が空調ユニットの底壁部上面に激しく衝突することはなく、衝突による強い乱れの発生や凝縮水の跳ね上げが防止される。
【００１２】
また、前記空気流指向部が、冷却用熱交換器の車幅方向一側の端部よりも車幅方向一側寄りの部位に設けられていることで、ここで上方に指向される空気の流れの一部は直接に冷却用熱交換器に向かうようになり、この流れが、前記のように略水平に導入空間部の奥まで流れた後に上方に向かう空気流の主流と合流することで、冷却用熱交換器を通過する空気流の偏りが軽減される。
【００１３】
つまり、この発明によれば、空調ユニット下端の導入空間部に導入される空気流の乱れを抑えて送風効率を向上させながら、そこから上方に向かう空気流の偏りを軽減して、冷却用熱交換器における流れ分布の均一度合いを向上でき、しかも、空気流による凝縮水の跳ね上げを防いで、そのことによる不具合を未然に防止することができる。
【００１４】
さらに、前記冷却用熱交換器を、その下面が車体後側ほど上方に位置するように車両の前後方向に傾斜しかつチューブが前後方向に延びるように配置するとともに、該冷却用熱交換器の下面に対向する空調ユニットの底壁部上面には、その前縁部に沿って排水溝部を形成するとともに、この排水溝部及び前記冷却用熱交換器の前縁部付近を導入空間部から遮蔽するように上方に向かって突出しかつ車幅方向に延びる遮蔽リブを設けている。
【００１５】
このことで、冷却用熱交換器の下面が車両の前後方向に傾斜し、かつそのチューブが前後方向に延びているから、該冷却用熱交換器で発生した凝縮水はチューブに沿って前後方向に流れて、相対的に下側の前縁部から下方に滴下する。ここで、前記冷却用熱交換器の下側縁部の付近には、下方に対向する底壁部上面から突出しかつ車幅方向に延びる遮蔽リブが設けられていて、その底壁部に形成された排水溝部と冷却用熱交換器の下側縁部の近傍とが導入空間部から遮蔽されているので、該下側縁部から滴下する凝縮水は導入空間部における空気流の影響を受けず、また、反対に空気流に対して乱れを引き起こすこともない。つまり、空調ユニットの導入空間部における空気流の乱れをさらに抑制し、かつ、冷却用熱交換器からの凝縮水の排出性を向上できる。
【００１６】
加えて、前記冷却用熱交換器の凝縮水は、前記のように遮蔽リブによって導入空間部から遮蔽された排水溝部に溜まることになるから、導入空間部に流入する空気流によって凝縮水が跳ね上げられることはなくなる。
【００１７】
【発明の実施の形態】
以下、本発明の実施形態を図面に基づいて説明する。
【００１８】
図１〜図３は、本発明の実施形態に係る空調装置１の外観を示すものであり、この空調装置１は、図４に示すように、自動車（車両）の車室前方に配設されたインストルメントパネル２の内方に収容されている。この自動車は、運転席及び助手席がそれぞれ車体右側及び左側に設けられた右ハンドル車であり、前記インストルメントパネル２の奥（車体前側）には、車室とその前方のエンジンルームとを仕切るダッシュパネルＰ（図６にのみ示す）が設けられている。尚、この明細書では、以下、自動車の車体を基準としてその前側及び後側をそれぞれ単に前側及び後側と呼ぶとともに、車体左側及び右側をそれぞれ単に左側及び右側と呼ぶ。従って、空調装置１の正面側は、車体後側に位置するので、空調装置１の後側と呼ぶことがあり、反対に、車体前側に位置する空調装置１の裏側を空調装置１の前側と呼ぶことがある。
【００１９】
前記空調装置１は、図１〜３に示すように、送風ユニット３と、該送風ユニット３からの空気を冷却した後に温度調節して、調和空気として車室へ供給する空調ユニット４と、送風ユニット３からの空気を空調ユニット４へ送る中間ダクト５（送風ダクト）とからなる。前記空調ユニット４は車幅方向の略中央部に配置される一方、送風ユニット３は該空調ユニット４から車体左側へ所定距離離間して助手席の前方に配置されている。この際、該送風ユニット３の下端部を空調ユニット４の下端部よりも上方に位置付けて、助手席乗員の足元スペースを十分に広く確保できるようにしている。
【００２０】
前記送風ユニット３は、その車幅方向の略中央部において左右に２つに分割されたケーシング６を備えており、それらはファスナ等を用いて一体化されている。そのケーシング６の上側には空調装置１へ空気を取り入れるための空気取入部７が設けられる一方、下側には取り入れた空気を前記空調ユニット４へ送風するための送風部８が設けられている。空気取入部７の上部には、図示しないダクトを介して車室外の空気を取り入れるための外気取入口１０と、車室内の空気を取り入れるための内気取入口１１とが形成されていて、さらに、これらのうちのいずれか一方を閉状態とするとともに、他方を開状態とするように作動する内外気切換ダンパ１２（図２のみに示す）が、該空気取入部７の内方に設けられている。
【００２１】
詳しくは、前記空気取入部７の上部は、前後に隣接する２つの傾斜面が互いに差し掛けられた屋根のような形状をなし、車幅方向から見て略三角形の断面を有する三角屋根部とされている。この屋根部の前記前面部及び後面部にはそれぞれ前記外気取入口１０及び内気取入口１１が開口していて、さらに内気取入口１１にはグリル１３が一体成形されている。また、前記空気取入部７の側面部は、前面部及び後面部の対応する側縁同士を連繋するように設けられている。前記内外気切替ダンパ１２は、各取入口１０、１１よりも大きい矩形状とされていて、その上縁に車幅方向に延びる軸を有し、この両端がそれぞれ前記空気取入部７の一対の側面部の上端側に支持されている。
【００２２】
前記内外気切替ダンパ１２の下端側には、空気取入部７の側面部に取り付けられたアクチュエータ１５の出力軸が連結されるように、該側面部を貫通する連結部（図示せず）が設けられている。また、該側面部には、アクチュエータ１５をねじ等により締結するためのボス部が一体成形されている。該アクチュエータ１５は、車体に配設されている空調制御部（図示せず）からの信号を受けて作動するように構成されていて、空調制御部からの信号線は、アクチュエータ１５のカプラ１７に結線されるようになっている。
【００２３】
そして、前記アクチュエータ１５によって内外気切替ダンパ１２がその軸周りに回動されて、外気取入口１０を全開とする位置にされると、内気取入口１１が全閉となり、外気のみを取り入れる外気取入モードとなる。一方、内外気切替ダンパ１２が前記の状態から逆方向に回動されて、外気取入口１０を全閉とする位置にされると、内気取入口１１が全開となっていわゆる内気循環モードになる。
【００２４】
また、前記空気取入部７の下部にはフィルタ配設部２１が設けられていて、図５に破線で示すように、取り入れた空気を濾過するためのフィルタ２０が配設されている。このフィルタ配設部２１の下方は送風部８であり、送風ファン２３としての遠心式多翼ファンがその回転軸を上下方向に向けて配設されるとともに、該送風ファン２３の周囲に渦巻き状の導風通路が形成され、さらに、送風ファン２３の下方にはファン駆動モータ２４が配設されている。そして、図５において矢印で示すように、送風ファン２３の回転により空気取入部７の上部から空気が取り入れられて、フィルタ２０を通過して送風部８に導入される。
【００２５】
さらに、前記送風部８の右側壁部には、導風通路に連通するように開口部が形成されていて、この開口部に中間ダクト５の左側の端部が接続されている。この中間ダクト５は、前記送風部８から空調ユニット４の下端側へ向かって、即ち車体左側（一側）から右側（他側）へ向かって斜め下方に延びていて、その右側の端部が空調ユニット４の下端側に接続されている。詳しくは、空調ユニット４の下端側には略水平に外方に延出するダクト接続部２５が設けられていて、前記の如く車体左側から右側に向かって下方に傾斜する中間ダクト５の右側の端部が、ダクト接続部２５の左側の端部に接続されている。尚、前記中間ダクト５の上壁には、送風ファン２３の回転数等を制御するための制御回路２６が配設されていて、その上部にはカプラ２７が設けられている。
【００２６】
前記ダクト接続部２５は、図６に示すように、空調ユニット４のケーシング３０の下端側において、後述するケーシング本体部３２（図に仮想線で示す）から底壁部３１に亘るように設けられていて、全体として略水平に延びる三角筒状をなし、その内部に形成された通路の左側の端部が中間ダクト５内の通路の右端部に連通する一方、該通路の右側の端部は、空調ユニット４の下端部に区画される空調用空気の導入空間部Ｓ１に連通している。言い換えると、ダクト接続部２５は、空調ユニット４のケーシング本体３２から車体左側に延びていて、該ケーシング本体３２内に配設された後述のエバポレータ３３（仮想線で示す）の左側（車幅方向一側）の端部よりも左側寄りに位置する。
【００２７】
また、前記ダクト接続部２５内の通路の底面２８は、中間ダクト５の下側壁面に連続して車幅方向に略水平に延びるとともに、車体前後方向についても略水平な平坦面からなる。そして、同図に矢印ａ１として示すように中間ダクト５内を斜め下向きに流れてきた空気の流れは、前記ダクト接続部２５の通路の底面２８に沿ってスムーズに上向きに指向されて、略水平な流れａ２となって空調ユニット４の導入空間部Ｓ１へ流入する。この空気流の主流は、図に矢印ａ３として示すように車体右側の側壁部に衝突し、全体として上方に向かうように指向される。また、流れの一部は導入空間部Ｓ１を囲む前後の壁面に沿って折り返される。
【００２８】
（空調ユニットの構成）
前記空調ユニット４は、全体として上下方向に長く、かつ前記送風ユニット３のケーシング６よりも大型の矩形箱状に形成されたケーシング３０を有する。このケーシング３０は、底壁部３１と、その上部に配置される本体部３２とに分割され、さらに、詳しくは後述するが、該ケーシング本体部３２がその車幅方向の略中央部において左右に２分割されるようになっている。また、ケーシング３０の内部には、図７に示すように、冷凍サイクルの一要素であるエバポレータ３３（冷却用熱交換器）が配設され、このエバポレータ３３の下面が導入空間部Ｓ１に臨んでいる。そして、上述したように中間ダクト５を介して導入空間部Ｓ１に導入された空気の流れは、該導入空間部Ｓ１で上方に向きを変えて、エバポレータ３３を通過する。
【００２９】
また、前記エバポレータ３３の上方には、該エバポレータ３３を通過した空気を加熱するためのヒータコア３４（加熱用熱交換器）が配設されており、前記の如くエバポレータ３３を通過した空気の流れは、図８に矢印で示すように、空調ユニット４内を下側から上側に向かって流通しながら、一旦、ヒータコア３４又はこれを迂回するバイパス通路Ｃへ分配され、その後に再び合流して調和空気となり、しかる後に、空調ユニット４のケーシング３０の上部に形成された吹出口５０，５１，５２から車室に向かって送り出される。
【００３０】
前記エバポレータ３３は、送風ユニット３からの空気を冷却する冷却用の熱交換器であり、例えばアルミニウム等の金属薄板から形成されたチューブを互いに同方向に延びるように多数積層して、隣り合うチューブの間に、同じく金属薄板から形成された波形のフィンを介在させたものである。このエバポレータ３３のチューブ内には、冷凍サイクルにより生成される低温の冷媒が循環して、該エバポレータ３３を通過する空気を冷却するようになっている。すなわち、このエバポレータ３３には、図示しないが、チューブの両端側にそれぞれ該チューブと連通するタンクが設けられていて、一方のタンクはチューブの積層方向の中央部分に配設された仕切板によって流入タンク部と流出タンク部とに区画されている。そして、流入タンク部に流入した冷媒は、この流入タンク部に接続された上流側チューブを介して他方のタンクに流れ、その後、この他方のタンクから下流側チューブを介して前記一方のタンクの流出タンク部に至る。
【００３１】
また、前記エバポレータ３３は、車幅方向に略水平に延びるように配置されているとともに、車体前後方向については車体後側ほど上方に位置するように傾斜して配設されており、さらに、チューブの延びる方向が車体前後方向に向けられている。このエバポレータ３３の流入タンク部と流出タンク部とには、それぞれクーラパイプ（図示せず）が接続されていて、各クーラパイプは空調ユニット４のケーシング３０における左側壁部からケーシング３０外方へ延出した後、車体前方へ延びるように折り曲げられている。そのようなエバポレータ３３の傾斜配置により、該エバポレータ３３において発生した凝縮水は、図７に矢印ｗとして模式的に示すように、主にチューブに沿って車体前側に流れた後に、エバポレータの前縁部から底壁部３１の上面に向かって滴下し、該底壁部３１に設けられたドレン部３５から車外へ排出される。
【００３２】
すなわち、前記図６に詳しく示すように、エバポレータ３３の下面に対向する底壁部３１の上面には、その前縁部に沿って車体右側から左側に向かい下向きに傾斜する排水溝部３１ａが形成されるとともに、左側の縁部に沿って車体後側から前側に向かい下向きに傾斜する排水溝部３１ｂが形成され、さらに、両排水溝部３１ａ，３１ｂの合流する車体左側前方の隅部から底壁部３１の外方に突出するドレン部３５の先端部まで、通路３１ｃが形成されている。これらの排水溝部３１ａ，３１ｂ及び通路３１ｃによりドレン通路が構成されており、前記の如くエバポレータ３３から底壁部３１の上面に滴下した凝縮水がスムーズに排出されるようになっている。
【００３３】
ここで、図示の符号２９は、底壁部３１の上面から突出して前記排水溝部３１ａに沿うように車幅方向に延びる遮風リブ（遮蔽リブ）であり、この遮風リブ２９は、前記排水溝部３１ａ及びエバポレータ３３の前縁部（相対的に下側の縁部）付近を導入空間部Ｓ１から区分するように設けられている。このため、図示ａ１〜ａ３の如く導入空間部Ｓ１に空調用空気が流入しても、この空気の流れはエバポレータ３３から滴下する凝縮水や排水溝部３１ａ内の凝縮水を跳ね上げることはなく、また、反対に凝縮水が空気流を乱すこともない。さらに、導入空間部Ｓ１へ流入した空気流のうち、該導入空間部Ｓ１を囲む前側の壁面に沿って折り返された流れは、排水溝部３１ａ内の凝縮水の流れに沿うものとなり、その排出性が一層、向上する。
【００３４】
前記ヒータコア３４は、前記エバポレータ３３と同様に積層されたチューブ及びフィンを有するもので、該チューブ内にはエンジンからの高温の冷却水が循環して、前記チューブ及びフィンの間を通過する空気と熱交換するようになっている。このヒータコア３４にも、前記エバポレータ３３の各クーラパイプと同様に、エンジン冷却水を流入及び流出させる各ヒータパイプ（図示せず）が設けられていて、それぞれがケーシング３０の左側壁部から外方へ延出した後に、車体前方へ延びるように形成されている。
【００３５】
前記エバポレータ３３とヒータコア３４との間には、エバポレータ３３を通過した空気の流れをヒータコア３４乃至バイパス通路Ｃへ分配するとともに、その分配の比率を変更して調和空気の温度を調節する２つのエアミックスダンパ３６、３７が配設されている。すなわち、図７、８に示すように、エバポレータ３３よりも上方の空調ユニット４内は、ケーシング３０の内側に一体成形された区画壁３９，４０等により複数の空間部Ｓ２〜Ｓ５とバイパス通路Ｃとに区画されており、エバポレータ３３を通過した空気の流れは、２つのエアミックスダンパ３６、３７によって、ヒータコア３４を収容する空間部Ｓ３，Ｓ４とバイパス通路Ｃとに分配されるようになっている。
【００３６】
詳しくは、空気流の上流側である下側から順番に、まず、エバポレータ３３の上方にはヒータコア３４との間を仕切るように下側区画壁３９が設けられている。この下側区画壁３９は、車幅方向から見て、車体前側（図７の左側）で略水平に延びた水平壁部と、その後端部に連続して後側ほど下方に位置するように緩やかに傾斜した緩斜壁部と、その後端部に連続して後側ほど上方に位置するように急傾斜した第１急斜壁部と、その後端部に連続して後側ほど下方に位置するように急傾斜した第２急斜壁部とからなる。
【００３７】
そして、前記水平壁部及び第１急斜壁部には、それぞれ、エバポレータ３３の上側空間部Ｓ２とヒータコア３４の下側空間部Ｓ３とを連通させる開口部４１、４２が形成され、また、第２急斜壁部にはバイパス通路Ｃの開口部４３が形成されていて、この各開口部４１，４２，４３がエアミックスダンパ３６、３７により開閉されるようになっている。また、前記下側区画壁３９の第１急斜壁部は、ヒータコア３４の上下の空間部Ｓ３，Ｓ４とバイパス通路Ｃとを区画していて、同時に該ヒータコア３４の後端部を支持する機能も有している。
【００３８】
一方、前記ヒータコア３４の上方には、該ヒータコア３４の全体を覆って、その上側の空間部Ｓ４とケーシング３０上部における調和空気の導出空間部Ｓ５とを区画する上側区画壁４０が設けられている。この上側区画壁４０は、詳しくは後述するが、ケーシング３０の内方に向かって左右両側から延出する一対のリブ８２，８２（図１０参照）からなり、この一対のリブ８２，８２の先端部が中間連結部材４４（図７に仮想線で示す）により互いに連結されてなる。この中間連結部材４４についても詳しくは後述するが、この部材４４は、車体前後方向に延びていて、前後両端部がそれぞれケーシング３０に係合して固定されており、該ケーシング３０の剛性を高めるとともに、ヒータコア３４の上側空間部Ｓ４からバイパス通路Ｃに亘って、ケーシング３０内を左右に区分するものである。すなわち、中間連結部材４４の本体部分４４ａは、ヒータコア３４の上側空間部Ｓ４においてリブ８２，８２の先端部同士を連結しており、また、該本体部４４ａの後側に設けられた分流板部４４ｂは、ヒータコア上側空間部Ｓ４とバイパス通路Ｃとが連通する部分から該バイパス通路Ｃを左右に区分するように上下両方向に延びている。そして、図９に模式的に示すように、バイパス通路Ｃを上昇する空気の流れが前記分流板部４４ｂによって左右に分流されるようになっている。
【００３９】
さらに、前記中間連結部材４４の分流板部４４ｂには、上下方向に見て略十文字状となるように左右方向に延びる整流フィン４８（図７、８に実線で示す）が設けられ、この整流フィン４８は、車体の左右いずれか一側から見て、上側ほど車体前側に位置するように、即ちヒータコア３４に接近すすように傾斜している。この整流フィン４８により、図８に矢印で示すように、バイパス通路Ｃの空気の流れが整流されつつ、緩やかにヒータコア上側空間部Ｓ４に向かうように指向される。
【００４０】
前記２つのエアミックスダンパ３６、３７は、内外気切替ダンパ１２と同様に各々が車幅方向に延びる軸を有し、その両端がケーシング３０に支持されていて、それぞれの車体左側の軸端に対してアクチュエータ４５が駆動連結されている。すなわち、該アクチュエータ４５は、ケーシング３０の左側壁部に配設されて、内外気切替ダンパ１２のアクチュエータ１５と同様にケーシングに設けられたボス部に固定されていて、同様にケーシング壁面に配設されたリンク機構４６を介して、前記２つのダンパ３６、３７を連動させるようになっている。前側のエアミックスダンパ３６は、水平壁部の開口部４１を全開する位置から全閉する位置まで回動し、一方、後側のエアミックスダンパ３７は、第１急斜壁部の開口部４２を全開しかつ第２急斜壁部の開口部４３を全閉する位置から、反対に、開口部４２を全閉しかつ開口部４３を全開する位置まで回動する。
【００４１】
そして、図７に実線で示すように、前側のエアミックスダンパ３６が開口部４１を全閉するときには、後側のエアミックスダンパ３７が開口部４２を全閉しかつ開口部４３を全開し、このとき、エバポレータ３３を通過した空気の全てがバイパス通路Ｃに流通するようになる。反対に、前側のエアミックスダンパ３６が開口部４１を全開するときには、後側のエアミックスダンパ３７は開口部４２を全開しかつ開口部４３を全閉し、このときには、エバポレータ３３を通過した空気の全てが空間部Ｓ３を介してヒータコア３４に導かれるようになる。また、図８に示すように、エアミックスダンパ３６，３７がそれぞれ前記２つの状態の中間の位置にあれば、そのダンパ３６，３７の位置に応じて、エバポレータ３３を通過した空気の流れがヒータコア３４及びバイパス通路Ｃに分配される。
【００４２】
そのようにして一旦、ヒータコア３４及びバイパス通路Ｃに分配された空気の流れは、同図に矢印で示すように、バイパス通路Ｃにおいて相対的に冷たい空気がスムースに上昇する一方、ヒータコア３４を通過した相対的に暖かい空気はその上側の空間部Ｓ４で大きく車体後側に曲げられて、バイパス通路Ｃに導出される。言い換えると、ヒータコア３４の上側空間部Ｓ４は、該ヒータコア３４の上方を覆ってこれを通過した空気をバイパス通路Ｃに導出する導出通路としての機能を有する。
【００４３】
ここで、前記ヒータコア上側空間部Ｓ４からバイパス通路Ｃに亘って中間連結部材４４が配置されていて、該中間連結部材４４の分流板部４４ｂによりバイパス通路Ｃが左右に区分されているので、図９に模式的に示すように、バイパス通路Ｃを上昇する相対的に冷たい空気の流れは、ヒータコア上側空間部Ｓ４から導出される暖かい空気の流れと出会う前に空調ユニット４の左右方向に分流されることになる。このことで、バイパス通路Ｃにおける空気流の左右方向の偏りが軽減されるとともに、該バイパス通路Ｃにおける空気流の左右方向の偏りとヒータコア３４を通過する空気流の左右方向の偏りとが略同じ程度のものとなり、従って、それらが混ざり合う調和空気の温度分布は、空調ユニット４の左右方向について概略、均一化される。
【００４４】
また、前記中間連結部材４４の分流板部４４ｂに設けられた整流フィン４８によって、バイパス通路Ｃを上昇する相対的に暖かい空気の流れがヒータコア上側空間部Ｓ４に向かうように曲げられて、この空間部Ｓ４からバイパス通路Ｃの流れに合流する相対的に暖かい空気の流れに対して適切な角度で衝突するようになる。このことで、全体として上方に向かう空気の流れを大きく乱すことなく維持しながら、バイパス通路Ｃの冷たい空気とヒータコア３４からの暖かい空気とを十分に混合して、温度分布の均一な調和空気を得ることができる。
【００４５】
尚、図３及び図５に示すように、前記エアミックスダンパ３６、３７のアクチュエータ４５にも、前記内外気切替ダンパ１２のアクチュエータ１５と同様に、空調制御部からの配線が結線されるカプラ４９が付設されている。また、図示しないが、前記エバポレータ３３及びヒータコア３４にはそれぞれ温度状態を検出するセンサが付設されていて、これら各センサの信号線は、空調ユニット４の左側壁部を貫通して延びて、前記空調制御部に接続されるようになっている。
【００４６】
そして、上述の如く、空調用空気をエバポレータ３３乃至ヒータコア３４との間で熱交換して得られた調和空気は、ケーシング３０上部の導出空間部Ｓ５から複数のダクトに分配されて、車室内に供給される。すなわち、空調ユニット４のケーシング３０の上部には、車体後側の傾斜した部分にベント吹出口５０，５０，…が形成されるとともに、その前側の略水平な部分にデフロスト吹出口５１，５１が形成されている。また、該ケーシング３０の上部における左側壁部及び右側壁部には、それぞれフット吹出口５２（図７に右側のもののみ示す）が形成されている。
【００４７】
前記ベント吹出口５０，５０，…には、それぞれ図示しないダクトの一端部が接続され、この各ダクトの他端部がインストルメントパネル２上のベントグリル５３，５３，…（図４参照）に接続されており、これにより、各ベント吹出口５０から送り出された調和空気は、前記ベントグリル５３，５３，…から主に乗員の上半身へ向かって吹き出される。一方、前記デフロスト吹出口５１，５１は、前記ベント吹出口５０と同様に、それぞれダクト（図示せず）を介してインストルメントパネル２のデフロストグリル５４，５４に接続されており、これにより、各デフロスト吹出口５１から送り出された調和空気は、フロントウインドの内面に向かって吹き出される。また、前記左右のフット吹出口５２，５２には、それぞれ下方へ延びるダクト５６、５７の上端部が接続され、この両ダクト５６、５７の下端側には、インストルメントパネル２の下側において運転席乗員及び助手席乗員の足元近傍に開口する開口部５５（図２にのみ示す）が設けられていて、そこから調和空気を乗員の足元に向かって吹き出すようになっている。
【００４８】
尚、前記フット吹出口５２，５２に接続されたダクト５６、５７のうち、運転席側のダクト５６は、ケーシング３０の右側壁部から後側の壁部に回り込むように、該ケーシング３０と一体的に設けられていて、比較的大きい断面積を有し、後席乗員への調和空気も一緒に通過する後席用との兼用のダクトとされている。そして、この兼用のダクト５６の下端部は、ケーシング３０の底壁部３１に一体成形された接続部５８，５８に接続されて、この接続部を介して、図示しないフロアダクトの端部に接続される。
【００４９】
前記ケーシング３０上部の導出空間部Ｓ５には、前記吹出口５０、５１、５２を開閉して調和空気の吹出方向を変更する２つの吹出方向切替ダンパ６０、６１が、前記エアミックスダンパ３６、３７と同様に設けられていて、これらは空調ユニット４のケーシング３０における左側壁部に配設されたリンク機構６２及び該左側壁部のボス部に固定されたアクチュエータ６３により作動されるようになっている。
【００５０】
前記吹出方向切替ダンパ６０、６１のうちの前側のものは、デフロスト吹出口５１，５１を開閉するデフロストダンパ６０であり、また、後側のものは、ベント吹出口５０，５０，…を開閉するベントダンパ６１である。それぞれのダンパ６０、６１は前記リンク機構６２により連動するようになっており、前記アクチュエータ６３によって駆動されることで、それぞれが各吹出モードに対応した開度に制御される。すなわち、この空調ユニット４は、２つのダンパ６０、６１の開閉状態によって、主に前記ベント吹出口５０，５０，…から調和空気を送り出すベントモード、主に前記デフロスト吹出口５１，５１から調和空気を送り出すデフロストモード、主に前記フット吹出口５２，５２から調和空気を送り出すフットモード、前記ベント及びフットの各吹出口５０，５２から調和空気を送り出すバイレベルモード等の種々の吹出モードに切り替えられるようになっている。また、前記吹出方向切替ダンパ６０，６１のアクチュエータ６３も前記内外気切替ダンパ１２のアクチュエータ１５と同様に、空調制御部の信号線が結線されるカプラ６５（図３及び図５にのみ示す）が備えられている。
【００５１】
尚、上述の如き構成の空調装置１を自動車のダッシュパネルＰに取り付けるために、前記送風ユニット３には、送風部８の左右両側にそれぞれ取付脚６８，６８が設けられ、また、前記フィルタ配設部２１の右側から車体右側に向かって斜めに突出する取付脚６９が設けられている。一方、空調ユニット４の取付部は、ケーシング３０の底壁部３１に一体成形された取付脚７０と、ケーシング３０上部の左右両側にそれぞれ設けられた一対の取付脚７１，７１とからなる。
【００５２】
（ケーシング本体部の組み付け）
次に、前記空調ユニット４のケーシング本体部３２の分割及び組み合わせ構造について、図１０〜１２に基づいて説明する。
【００５３】
上述したように、空調ユニット４のケーシング３０は、全体として上下方向に長い矩形箱状のものであり、エバポレータ３３やヒータコア３４に加えて、エアミックスダンパ３６、３７や吹出方向切替ダンパ６０、６１をも収容する大型のケーシング本体部３２と、その下端開口を封止する底壁部３１とからなる。そして、そのように大型のケーシング本体部３２が車幅方向の略中央部において車体左側の左側ケーシング部材８０と、車体右側の右側ケーシング部材８１とに２分割されている。この左側及び右側ケーシング部材８０，８１は、互いに周縁部において接合されるようになっていて、該接合部分にそれぞれ溝部及び凸条部が形成され、この溝部及び凸条部が互いに係合するいんろう構造のものである。
【００５４】
しかしながら、そのように、大型のケーシング本体部３２を左右に２分割しているため、左側及び右側ケーシング部材８０，８１がそれぞれ非常に大きい開口部を有するものとなり、それ自体では十分な剛性を確保することが困難になる。このため、２つのケーシング部材８０，８１を互いに組み合わせるときに、それらの周縁部同士を正確に合わせることが難しくなり、組み付け作業性が低下する虞れがあった。
【００５５】
これに対し、この実施形態では、前記左側及び右側ケーシング部材８０，８１に、互いに対向するように延びる複数のリブ８２，８３を設けるとともに、その先端部同士を連結しかつケーシング部材８０，８１の前端から後端に亘って延びる中間連結部材４４を設けて、該各ケーシング部材８０，８１の剛性を高め、それらの組み付けを容易に行えるようにしている。
【００５６】
具体的には、図１０に示すように、前記左側及び右側ケーシング部材８０，８１の内面には、それぞれ、上下方向の中間部分から互いに対向するように延びる３つのリブ８２，８３，８４（右側ケーシング部材８１のもののみ図示する）が設けられていて、それらが互いに組み合わされるようになっている。すなわち、３つのリブ８２，８３，８４の内で最も上位に位置するリブ８２は、その先端縁同士が中間連結部材４４の本体部４４ｂにより連結されて、該中間連結部材４４とともにヒータコア３４の上方の上側区画壁４０を構成する。このリブ８２の上面には、斜め上方に向かって傾斜して延びる突片８２ａが設けられている。また、前記リブ８２よりも下方に位置する２つのリブ８３，８４は、一体的に下側隔壁部３９を構成するものである。
【００５７】
尚、前記各リブ８２，８３，８４の先端における複数の所定箇所には、リブ本体の厚みよりもやや大きな直径を有する円形の受け部８５，８５，…が設けられている。これは、ケーシング部材８０，８１を成形後にプリイジェクタピンによって型から取り外すときに、該ピンの先端により押圧される部分であり、この受け部８５，８５，…を設けたことで、リブ８２〜８４の型離れが良好なものとなり、作業性が向上する。
【００５８】
一方、前記中間連結部材４４は、図１１に詳細を示すように、前後方向に長い略矩形板状の本体部４４ａと、その正面側の端部（図(b)の右側の端部、即ち車体後側の端部）に連続する略三角形状の分流板部４４ｂとからなる左右対称形状のものである。図１２にも示すように、前記本体部４４ａの上縁に沿って左右両側にそれぞれ延びる延出壁部８６、８６が設けられ、この各延出壁部８６の先端に溝部８６ａ（係合部：図１２にのみ示す）が形成されていて、それぞれ、リブ８２の先端部に沿って形成された凸条部（図示せず）に係合されるようになっている。
【００５９】
また、前記延出壁部８６の下側には、所定位置で本体部４４ａから左右両側にそれぞれ延びて延出壁部８６よりも外方まで突出する複数の突起部８７，８７，…が設けられている。この各突起部８７は、本体部４４ａの側面から延出壁部８６の下面に沿って延びていて、該延出壁部８６の先端から離れてさらに外方に延びる上縁部には、先端に向かって下側に傾斜する傾斜部８７ａが形成されている。この傾斜部８７ａは、中間連結部材４４とリブ８２とを組み付けるときに、該リブ８２の先端の凸条部を延出壁部８６先端の溝部８６ａに向かうように案内する案内部となる。尚、図示しないが、ケーシング部材８０，８１のリブ８２の先端側にも同様の傾斜部を有する複数の突起部が設けられている。
【００６０】
さらに、前記延出壁部８６の上側には、ケーシング部材８０，８１のリブ８２の突片８２ａに対応するように斜め上方に突出する突片８８が形成され、この突片８８の側部にも前記延出壁部８６と同様に溝部８８ａが形成されていて、リブ８２の突片８２ａの側部に形成された突状部と係合するようになっている。
【００６１】
さらにまた、前記本体部４４ａの下側で分流板部４４ｂに連係する部分には、その部分の湾曲形状に沿って、前記した上側の延出壁部８６と同様に左右に延出する湾曲形状の延出壁部８９が設けられている。図示しないが、その延出壁部８９の先端にもそれぞれ溝部（係合部）が形成されていて、ケーシング部材８０，８１のリブ８３の先端の凸条部に係合するようになっている。また、前記延出壁部８９の上面に沿うようにして、前記した突起部８７と同様の形状及び機能を有する突起部９０（案内部）が設けられている。
【００６２】
加えて、中間連結部材４４の前後両端部、即ち本体部４４ａの背面側の端部（図(b)の左側の端部、即ち車体前側の端部）と分流板部４４ｂの正面側の端部（図(b)の右側の端部、即ち車体後側の端部）とには、それぞれ、ケーシング部材８０，８１の周縁部に係合して固定される係合固定部９１，９２が設けられている。この係合固定部９１，９２は、それぞれ、２つのケーシング部材８０，８１の周縁部により挟み込まれる凸条部及び突部からなり、さらに、その各凸条部の下端近傍には、それぞれ、前記した突起部８７，９０と同様に、組み付け時に案内部としての機能を有する突起部９３，９４が設けられている。
【００６３】
このような構成により、左側及び右側ケーシング部材８０，８１を互いに組み付けるときには、まず、いずれか一方のケーシング部材（以下、右側の部材８１を例に説明する）に対して中間連結部材４４を組み付ける。すなわち、中間連結部材４４の本体部４４ａ前端の係合固定部９１をケーシング部材８１の前側の周縁部に係合させる一方、分流板部４４ｂ後端の係合固定部９２をケーシング部材８１の後側の周縁部に係合させ、さらに、中間連結部材４４の延出壁部８６、８９とケーシング部材８１のリブ８２，８３とを互いに係合させる。この際、延出壁部８６、８９とリブ８２，８３とにそれぞれ設けられた複数の突起部８７，…，９０，…により、該延出壁部８６，８９の溝部に対してリブ８２，８３の先端が案内されて、容易に係合されるので、ケーシング部材８１への中間連結部材４４の組み付けを極めて容易に行える。
【００６４】
そのように中間連結部材４４が組み付けられることで、右側ケーシング部材８１の剛性が高められ、特に、左側ケーシング部材８０と接合される開口部周縁の剛性が十分に確保される。しかも、右側ケーシング部材８１の周縁部は略同じ仮想平面上に位置し、さらに、中間連結部材４４もその仮想平面上に位置することになる。そして、そのようにして中間連結部材４４を組み付けた右側ケーシング部材８１に対して、左側ケーシング部材８０を組み合わせる。この際、前記の如く右側ケーシング部材８１に組み付けた中間連結部材４４を目標として、これに対して左側ケーシング部材８０のリブ８２，８３を組み合わせるようにすれば、該リブ８２の先端部及び中間連結部材４４の延出壁部８６等に設けられた複数の突起部８７，…，９０，…により、該延出壁部８６，８９の溝部に対してリブ８２，８３の先端が案内されて、係合されることになる。このことで、成型時等にリブやケーシング部材８０，８１に歪みが生じていても、それらを容易に組み合わせることができる。
【００６５】
つまり、いずれも大きい開口部を有する２つのケーシング部材８０，８１に対して、それぞれ、互いに対をなすリブ８２，８３を設けるとともに、これらのリブの８２，８３先端部同士を中間連結部材４４により案内して連結するという簡単な構成でもって、両部材８０，８１を容易かつ確実に組み合わせることができるものである。
【００６６】
（空調用空気の流れ）
次に、上述の如き構成の空調装置１における空調用空気の流れについて説明すると、まず、全体としては図５に矢印で示すように、送風ユニット３から送り出された空気の流れは、中間ダクト５内を車幅方向に左側から右側に向かって斜め下向きに流れて、ダクト接続部２５に至り、図６や図９に示すように、ダクト接続部２５内の通路に沿ってスムーズに上向きに指向されて、大略、水平な流れとなって空調ユニット４の導入空間部Ｓ１に流入する。
【００６７】
このように、導入空間部Ｓ１への空気の流れが略水平になるので、その流れが空調ユニット４の底壁部３１上面に激しく衝突することはなく、強い乱れの発生や凝縮水の跳ね上げが防止される。しかも、凝縮水の滴下するエバポレータ３３の前縁部が遮風リブ２９により導入空間部Ｓ１から遮蔽されているので、この凝縮水によって空気の流れが乱されることもない。
【００６８】
また、そのように略水平に導入空間部Ｓ１へ流入した空気流の主流は、図９に白抜きの太い矢印で示すように、導入空間部Ｓ１に臨む車体右側の側壁部に衝突してから、上方に曲げられるようになるが、一方で、前記ダクト接続部２５の通路の底面２８によって上方に指向される空気流の一部は、同図に破線の太い矢印で示すように直接にエバポレータ３３に向かうようになり、この流れが、前記の如く導入空間部Ｓ１内で上方に向かう主流と合流することで、エバポレータ３３における空気流の左右方向の偏りがさらに軽減される。
【００６９】
つまり、左右方向に斜めに延びる中間ダクト５と導入空間部Ｓ１との間に略水平なダクト接続部２５を設けたことによって、中間ダクト２５から空調ユニット下端の導入空間部に導入される空気流の乱れが抑えられて、送風効率が向上し、さらに、そこから上方に向かう空気流の左右方向の偏りが軽減されるので、エバポレータ３３における流れ分布の均一度合いを向上することができる。さらに、導入空間部Ｓ１における凝縮水の跳ね上げも防止できる。
【００７０】
そして、エバポレータ３３を通過した空気の流れは、例えば図８に矢印で示すように、エアミックスダンパ３６，３７の開度に応じて、ヒータコア３４及びバイパス通路Ｃに分配されることになるが、このときにバイパス通路Ｃを上昇する相対的に冷たい空気の流れは、図９に矢印で示すように、中間連結部材４４の分流板部４４ｂにより左右に分流されて、その流れの左右方向の偏りがさらに軽減される。また、前記図８に示すように、バイパス通路Ｃを上昇する空気の流れは、整流フィン４８により導かれて、ヒータコア３４に近づくように向けられる。
【００７１】
一方、ヒータコア３４を通過した相対的に暖かい空気の流れは、図８に矢印で示すように、ヒータコア上側空間部Ｓ４からバイパス通路Ｃに導出され、ここで、前記の如く整流フィン４８により導かれた冷たい空気の流れと適切な角度でもって衝突し、十分に混合されて温度分布の均一な調和空気となり、しかる後に、導出空間部Ｓ５を経て、ダクト５０，５１，５２，…から車室内へと送り出される。ところで、前記したようにバイパス通路Ｃにおける冷たい空気の流れの偏りが十分に小さくされていて、その偏りの度合いがヒータコア３４からの暖かい空気の流れと略同じ程度のものとなっているので、それらの空気が混ざり合う調和空気の温度状態は空調ユニット４の左右方向について略均一なものとなる。
【００７２】
したがって、この実施形態に係る車両用空調装置１によると、まず、空調ユニット４のケーシング本体部３２をその略中央部において左右に分割し、それぞれ大きな開口部を有する２つのケーシング部材８０，８１からなるものとしたので、部品点数の削減によりコストの削減が図られる。その際、左側及び右側ケーシング部材８０，８１の周縁部を略同じ仮想平面上に位置付けるとともに、２つの部材８０，８１の組付けを案内する機能を有する中間連結部材４４を設けて、この中間連結部材４４も前記仮想平面上に位置付けるようにしたので、２つの部材８０，８１の組み合わせ作業を極めて容易に行える。
【００７３】
また、この実施形態に係る空調装置１では、中間ダクト５に沿って車幅方向の一側から空調ユニット４下端の導入空間部Ｓ１に流入する空気の流れを、該中間ダクト５の通路と導入空間部Ｓ１との間に設けたダクト接続部２５によって、エバポレータ３３の下方位置よりも手前で上方に指向させるようにしたので、この空気流の主流を略水平に導入空間部Ｓ１に導入して、送風効率を向上させながら、該導入空間部Ｓ１から上方に向かってエバポレータ３３を通過する空気流の偏りを軽減することができ、このことで、熱交換効率を向上できる。
【００７４】
しかも、エバポレータ３３を前後方向に傾斜させてその前縁部付近から凝縮水を滴下させるようにし、かつ、その前縁部付近を遮風リブ２９により導入空間部Ｓ１の空気流から遮蔽するようにしたので、エバポレータ３３への凝縮水の跳ね上げを防止し、そのことによっても熱交換効率を向上できる。
【００７５】
さらに、この実施形態の空調装置１では、前記の如くエバポレータ３３を通過する空気流の左右方向の偏りを軽減した上で、ケーシング本体部３２の略中央部に設けた中間連結部材４４の分流板部４４ｂにより、特にバイパス通路Ｃを上昇する空気の流れを左右に分流することによって、この流れの左右方向の偏りをさらに小さくすることができ、このことによっても、熱交換効率を向上できるとともに、空調ユニット４おける調和空気の左右方向の温度分布を略均一なものとすることができる。従って、空調ユニット４からダクトを介して車室内に供給される調和空気の温度状態が左右で略同じものとなり、風量の変更等に伴う変動も解消されて、良好な使用感が得られる。
【００７６】
尚、上述した実施形態では、右ハンドル車に搭載する仕様の空調装置１について説明しているが、本発明に係る空調装置１は左ハンドル車にも適用できる。この場合には、送風ユニット３を車体右側の助手席前方に配置して、前記実施形態と同様に、中間ダクト５により空調ユニット４に接続するようにすればよいが、この際、送風ユニット３や空調ユニット４の形状は、前記実施形態のものを左右に反転させた形状となる。そして、そのように左右に反転させた空調ユニット４のケーシング本体部３２を前記実施形態と同様に左側及び右側部材に２分割して、それぞれの周縁部の形状やリブの形状を前記実施形態のものと同じにすれば、中間連結部材４４自体は左右対称形状なので、この中間連結部材４４は、右ハンドル車用の仕様と左ハンドル車用の仕様とで共通に用いることができ、このことで、量産化による部品コストの低減が図られる。
【００７７】
【発明の効果】
以上説明したように、請求項１の発明に係る車両用空調装置によると、冷却用及び加熱用熱交換器を空調ユニット内に上下方向に並べて配置した縦型一体式の空調装置において、該空調ユニットに対し車幅方向一側の送風ユニットから送風ダクトに沿って送給される斜め下向きの空気の流れを、前記冷却用熱交換器の下方位置よりも手前で上方に指向させる空気流指向部を設けたので、空調ユニットの導入空間部へ流入する空気の流れを全体として大略、水平なものとすることができ、このことで、空気流の乱れを抑えて送風効率を向上させながら、そこから上方に向かう空気流の偏りを軽減し、冷却用熱交換器における流れ分布の均一度合いを向上して、熱交換効率を向上できる。しかも、冷却用熱交換器への凝縮水の跳ね上げも防止でき、そのことによっても熱交換効率を向上できる。
【００７８】
また、空調ユニットの導入空間部に臨む冷却用熱交換器の下面を傾斜させ、その相対的に下側の前縁部付近とこれに対向する底壁部の排水溝部とを導入空間部から遮蔽するように遮蔽リブを設けたので、冷却用熱交換器からの凝縮水と導入空間部における空気流とが相互に悪影響を及ぼすことがなくなり、これにより、導入空間部における空気流の乱れをさらに抑制し、かつ、空気流による凝縮水の跳ねをより確実に防止することができる。
【図面の簡単な説明】
【図１】本発明の実施形態に係る空調装置の外観を示す正面左側からの斜視図である。
【図２】空調装置の外観を示す正面右側からの斜視図である。
【図３】空調装置の外観を示す正面図である。
【図４】インストルメントパネル内の空調装置のレイアウトを示す説明図である。
【図５】空調装置の全体構成を示す図３相当図である。
【図６】空調ユニット下端の導入空間部の構成を示す説明図である。
【図７】空調ユニットの内部構造を示す縦断面図である。
【図８】空調ユニット内の空気の流れを車幅方向に見て示す図７相当図である。
【図９】空調ユニットにおける空気の流れを前後方向に見て示す説明図である。
【図１０】空調ユニットのケーシング本体部の組み合わせ構造を示す説明図である。
【図１１】中間連結部材の正面図(a)、側面図(b)及び下面図(c)である。
【図１２】図１１のXII-XII 線における断面図である。
【符号の説明】
１            空調装置
２            インストルメントパネル
３            送風ユニット
４            空調ユニット
５            中間ダクト（送風ダクト）
２８          中間ダクトの通路の底面（空気流指向部）
２９          遮風リブ（遮蔽リブ）
３０          空調ユニットケーシング
３１          ケーシング底壁部
３１ａ        排水溝部
３３          エバポレータ（冷却用熱交換器）
３４          ヒータコア（加熱用熱交換器）
Ｓ１          導入空間部
【図１】
0003633893.tif 000002
【図２】
0003633893.tif 000003
【図３】
0003633893.tif 000004
【図４】
0003633893.tif 000005
【図５】
0003633893.tif 000006
【図６】
0003633893.tif 000007
【図７】
0003633893.tif 000008
【図８】
0003633893.tif 000009
【図９】
0003633893.tif 000010
【図１０】
0003633893.tif 000011
【図１１】
0003633893.tif 000012
【図１２】
0003633893.tif 000013